(57)【要約】【課題】少ないコスト及び時間で花冠の形状を矯正することで斬新な外観の切花を得ることができる花冠矯正具を提供する。【解決手段】展開状態で中心に孔１２が形成された略円板型１１に対して、中心と外周の一点とを最短距離で結ぶ線１３を径方向内方に屈曲させるとともに、中心と外周において一点から最遠方に位置する他点とを最短距離で結ぶ線１４を径方向外方に屈曲させることによって、下方から上方に向かって拡開し、上端１０ａの外形を略ハート型にした立体状態として形状を保持するとともに、径方向内方に屈曲させた部位１８と孔１２との間の周面に、切花の萼Ｇの一部を径方向外方に突出させる開口部１５を孔１２と連通して形成し、孔１２に切花の花軸Ｊを挿通して、切花の花冠Ｋを内包して花冠Ｋの形状を略ハート型に矯正する。【選択図】図３
2011055962.tif 000002
【特許請求の範囲】
【請求項１】
展開状態で中心に孔が形成された略円板型に対して、
前記中心と外周の一点とを最短距離で結ぶ線を径方向内方に屈曲させるとともに、前記中心と前記外周において前記一点から最遠方に位置する他点とを最短距離で結ぶ線を径方向外方に屈曲させることによって、下方から上方に向かって拡開し、上端の外形を略ハート型にした立体状態として形状を保持し、
前記孔に切花の花軸を挿通するとともに、前記切花の花冠を内包して前記花冠の形状を略ハート型に矯正することを特徴とする花冠矯正具。
【請求項２】
前記径方向内方に屈曲させた部位と前記孔との間の周面に、前記切花の萼の一部を径方向外方に突出させる開口部を形成したことを特徴とする請求項１に記載の花冠矯正具。
【請求項３】
前記開口部を、前記孔と連通して形成したことを特徴とする請求項２に記載の花冠矯正具。
【請求項４】
前記開口部に、前記切花の萼の付け根を係止する爪を設けたことを特徴とする請求項２に記載の花冠矯正具。
【請求項５】
前記孔から複数のスリットを放射状に形成したことを特徴とする請求項１乃至４のうちいずれか一つに記載の花冠矯正具。
【請求項６】
下方から上方に向かって拡開し、上端が開放された中空の略錐体形状であり、
下端に切花の花軸を挿通する挿通孔が形成され、
しかも周面に沿って前記挿通孔と前記上端の一点とを最短距離で結ぶ線を径方向内方に屈曲させた状態の内方屈曲部を有するとともに、前記挿通孔と前記上端において前記一点から最遠方に位置する他点とを最短距離で結ぶ線を径方向外方に屈曲させた状態の外方屈曲部を有し、前記上端の外形を略ハート型にするもので、
前記切花の花冠を内包して前記花冠の形状を略ハート型に矯正することを特徴とする花冠矯正具。
【請求項７】
全体を透明又は半透明のプラスチックで形成したことを特徴とする請求項１乃至６のうちいずれか一つに記載の花冠矯正具。
【発明の詳細な説明】
【技術分野】
【０００１】
本発明は、切花の花冠の形状を矯正する花冠矯正具に関するものである。
【背景技術】
【０００２】
贈答用及び家庭での観賞用等として、各種切花が古くから親しまれている。
近年では消費者のニーズが多様化しており、ニーズに対応するために多種多様な花が品種改良等によって開発され、市場に出回っている。
【０００３】
例えば、バイオテクノロジーを用いて、従来にはない色の花を品種改良によって作り出す発明が開示されている（例えば、特許文献１参照）。
また、輸送中に花冠の損傷を防ぐ保護材の形状を星型やハート型にして、従来とは違った花冠の形状とする発明が開示されている（例えば、特許文献２参照）。
【先行技術文献】
【特許文献】
【０００４】
【特許文献１】特表平１１−５０５１１６号公報
【特許文献２】実用新案登録３１２２３１４号公報
【発明の概要】
【発明が解決しようとする課題】
【０００５】
しかしながら、特許文献１に記載の発明のように品種改良する場合には、花の育成を繰り返して所望の花を得るので、消費者が求めるような新しい品種が開発されるまでにコストと期間が多く掛かってしまうという問題がある。
一方、特許文献２に記載の発明のように、保護材の形状により花冠の形状を変化させる場合には、少ないコスト及び時間で斬新な外観の花を得ることができる。しかし、特許文献２には段落番号（００１７）に「保護部の形状を例えば星形やハート形などにすることにより、花冠の形状を保護部の形状に合わせて花に変化をつけることもできる」とだけ記載されており、これをもって当業者が実施することができる程度に具体的に発明が開示されているとは言えない。
【０００６】
そこで、本発明の目的とするところは、少ないコスト及び時間で花冠の形状を矯正することで斬新な外観の切花を得ることができる花冠矯正具を提供することにある。
【課題を解決するための手段】
【０００７】
上記の目的を達成するために、本発明の請求項１に記載の花冠矯正具（１０）は、展開状態で中心に孔（１２）が形成された略円板型（１１）に対して、前記中心と外周の一点とを最短距離で結ぶ線（１３）を径方向内方に屈曲させるとともに、前記中心と前記外周において前記一点から最遠方に位置する他点とを最短距離で結ぶ線（１４）を径方向外方に屈曲させることによって、下方から上方に向かって拡開し、上端（１０ａ）の外形を略ハート型にした立体状態として形状を保持し、前記孔（１２）に切花の花軸（Ｊ）を挿通するとともに、前記切花の花冠（Ｋ）を内包して前記花冠（Ｋ）の形状を略ハート型に矯正することを特徴とする。
【０００８】
また、請求項２に記載の花冠矯正具（１０）は、前記径方向内方に屈曲させた部位（１８）と前記孔（１２）との間の周面に、前記切花の萼（Ｇ）の一部を径方向外方に突出させる開口部（１５）を形成したことを特徴とする。
【０００９】
また、請求項３に記載の花冠矯正具（１０）は、前記開口部（１５）を、前記孔（１２）と連通して形成したことを特徴とする。
【００１０】
また、請求項４に記載の花冠矯正具（１０）は、前記開口部（１５）に、前記切花の萼（Ｇ）の付け根を係止する爪（Ｔ）を設けたことを特徴とする。
【００１１】
また、請求項５に記載の花冠矯正具（１０）は、前記孔（１２）から複数のスリット（１７）を放射状に形成したことを特徴とする。
【００１２】
また、請求項６に記載の花冠矯正具（２０）は、下方から上方に向かって拡開し、上端（２０ａ）が開放された中空の略錐体形状であり、下端に切花の花軸（Ｊ）を挿通する挿通孔（１２）が形成され、しかも周面に沿って前記挿通孔（１２）と前記上端（２０ａ）の一点とを最短距離で結ぶ線（２３）を径方向内方に屈曲させた状態の内方屈曲部（２８）を有するとともに、前記挿通孔（１２）と前記上端（２０ａ）において前記一点から最遠方に位置する他点とを最短距離で結ぶ線（２４）を径方向外方に屈曲させた状態の外方屈曲部（２９）を有し、前記上端（２０ａ）の外形を略ハート型にするもので、前記切花の花冠（Ｋ）を内包して前記花冠（Ｋ）の形状を略ハート型に矯正することを特徴とする。
【００１３】
また、請求項７に記載の花冠矯正具（１０，２０）は、全体を透明又は半透明のプラスチックで形成したことを特徴とする。
【００１４】
ここで、上記括弧内の記号は、図面および後述する発明を実施するための形態に掲載された対応要素または対応事項を示す。
【発明の効果】
【００１５】
本発明の請求項１に記載の花冠矯正具によれば、展開状態で中心に孔が形成された略円板型に対して、中心と外周の一点とを最短距離で結ぶ線を径方向内方に屈曲させるとともに、中心と外周において一点から最遠方に位置する他点とを最短距離で結ぶ線を径方向外方に屈曲させたので、下方から上方に向かって拡開し、上端の外形が略ハート型である立体状態となる。よって、この形状を保持し、孔に切花の花軸を挿通するとともに、切花の花冠を内包すると、花冠の形状が略ハート型に矯正されるので、少ないコスト及び時間で斬新な外観の切花を得ることができる。
【００１６】
また、請求項２に記載の花冠矯正具によれば、請求項１に記載の発明の作用効果に加え、径方向内方に屈曲させた部位と孔との間の周面に、開口部を形成したので、切花の萼の一部を径方向外方に突出させることができる。よって、径方向内方に屈曲させた部位が切花の萼と干渉し難いので、容易に花冠の形状を略ハート型に矯正することができる。また、花冠矯正具を一度切花に装着すると、花冠矯正具が切花から外れ難い。
【００１７】
また、請求項３に記載の花冠矯正具によれば、請求項２に記載の発明の作用効果に加え、開口部を孔と連通して形成したので、径方向内方に屈曲させた部位が切花の萼と干渉せず、より容易に花冠の形状を略ハート型に矯正することができる。
【００１８】
また、請求項４に記載の花冠矯正具によれば、請求項１に記載の発明の作用効果に加え、開口部に、切花の萼の付け根を係止する爪を設けたので、花冠矯正具が切花からより外れ難い。よって、花冠の形状を略ハート型に矯正した状態で保持しておくことが容易である。
【００１９】
また、請求項５に記載の花冠矯正具によれば、請求項１乃至４に記載の発明の作用効果に加え、孔から複数のスリットを放射状に形成したので、切花の花軸及び萼の下部を孔に挿通するときに、孔が押し広げられて大きくなる。よって、切花に対して花冠矯正具を円滑に装着することができる。
【００２０】
また、請求項６に記載の花冠矯正具によれば、下方から上方に向かって拡開し、上端が開放された中空の略錐体形状であり上端の外形を略ハート型にするものであるので、内包した切花の花冠の形状を略ハート型に矯正する花冠矯正具を、例えば型成形によっても製造することができる。したがって、型から出た花冠矯正具をそのまま切花に装着できるので、他の工程を必要とせず、斬新な外観の切花を得るためのコスト及び時間はわずかしか掛からない。
【００２１】
また、請求項７に記載の花冠矯正具によれば、請求項６に記載の発明の作用効果に加え、全体を透明又は半透明のプラスチックで形成したので、外観を損なうことなく花冠の形状を略ハート型に矯正することができる。また、略円板型を立体形状にする場合（請求項１）において、超音波溶着にて立体形状を保持することができるので、形状保持の方法が簡便である。
【００２２】
なお、本発明の花冠矯正具のように、展開状態で中心に孔が形成された略円板型に対して、一部を径方向内方に屈曲し、他の一部を径方向外方に屈曲させることによって上端の外形を略ハート型にして、内包する花冠の形状を略ハート型に矯正する点は、上述した特許文献１及び特許文献２には全く記載されていない。
【図面の簡単な説明】
【００２３】
【図１】図２に示す第一実施形態に係る花冠矯正具を示す展開図である。
【図２】本発明の第一実施形態及び第二実施形態に係る花冠矯正具を示す平面図である。
【図３】図２に示す第一実施形態及び第二実施形態に係る花冠矯正具の使用状態を示す斜視図である。
【図４】図２に示す第一実施形態及び第二実施形態に係る花冠矯正具の使用状態を示す平面図である。
【図５】他の実施形態に係る花冠矯正具を示す展開図である。
【発明を実施するための形態】
【００２４】
（第一実施形態）
図１乃至図４を参照して、本発明の第一実施形態に係る花冠矯正具１０を説明する。
この花冠矯正具１０は、展開状態で中心に孔１２が形成された略円板型１１である透明の熱可塑性プラスチックシートから成形されてなるものである。このプラスチックシート１１は容易に折り曲げ可能な厚さで、プラスチックシート１１の直径は８ｃｍ、孔１２の直径は１ｃｍである。
このプラスチックシート１１には、略四角形の開口部１５が形成されており、四角形の一つの頂点部分において開口部１５は孔１２と連通している。
また、孔１２から外周に向かって複数のスリット１７（ここでは１０本）が放射状に形成されている。ここでいうスリット１７は、プラスチックシート１１に対して例えばカッターナイフで直線状に入れられた切れ込みであり、スリット１７の幅は特に意識して設けられていない。
【００２５】
このようなプラスチックシート１１に対して、中心と外周の一点とを最短距離で結ぶ線１３を径方向内方に屈曲させるとともに、開口部１５の縁部１６ａ，１６ｂを径方向内方に折り込む。つまり、この線１３においてプラスチックシート１１を山折りにする（図１の紙面手前方向に折る）。この内方に屈曲させた箇所を内方屈曲部１８と呼ぶ。なお、この線１３に対して開口部１５は線対称である。このとき、縁部１６ａと縁部１６ｃとのなす角、及び縁部１６ｂと縁部１６ｄとのなす角はそれぞれ略９０度である。
【００２６】
そのようにプラスチックシート１１を折るとともに、中心と、外周において一点から最遠方に位置する他点とを最短距離で結ぶ線１４を径方向外方に屈曲させる。つまり、山折りにした線１３を、プラスチックシート１１の中心を通り上下に延びる軸に対して１８０度回転した位置の線１４において、プラスチックシート１１を谷折りにする（図１の紙面奥方向に折る）。この外方に屈曲させた箇所を外方屈曲部１９と呼ぶ。なお、外方屈曲部１９の上端は安全のため、面取りされている。
【００２７】
このように、プラスチックシート１１に内方屈曲部１８と外方屈曲部１９とを形成することによって、下方から上方に向かって拡開し、上端１０ａの外形を略ハート型にした立体状態とする。そして、プラスチックシート１１が屈曲して重なった内方屈曲部１８をステープラで綴じるように超音波溶着し、同じように外方屈曲部１９も超音波溶着することによって、それぞれを屈曲したままの形状に保持、すなわちこの立体形状を保持して花冠矯正具１０はなる。
そして、この立体状態の花冠矯正具１０に対して、図３に示すように孔１２に切花のカーネーションの花軸Ｊを上方から挿通するとともに、カーネーションの花冠Ｋを花冠矯正具１０で内包する。このとき、萼Ｇの下部は孔１２の下方外側に位置する。
【００２８】
ここで、プラスチックシート１１を立体形状としたとき、開口部１５は径方向内方に屈曲させた部位（内方屈曲部１８）と孔１２との間の周面に位置するが、花冠Ｋを内方した状態において、開口部１５の高さが萼Ｇの切れ込みの下端位置と略等しくなるように事前に開口部１５を形成しておく。そして、図３に示すように、この開口部１５からカーネーションの萼Ｇの一部を径方向外方に突出させた状態、つまり内方屈曲部１８を花びらと萼Ｇとの間に差し込んだ状態にして、図４に示すようにカーネーションの花冠Ｋの形状が略ハート型に矯正される。
【００２９】
以上のように構成された花冠矯正具１０によれば、展開状態で中心に孔１２が形成された略円板型１１であるプラスチックシートに対して、中心と外周の一点とを最短距離で結ぶ線１３を径方向内方に屈曲させるとともに、中心と外周において一点から最遠方に位置する他点とを最短距離で結ぶ線１４を径方向外方に屈曲させたので、下方から上方に向かって拡開し、上端１０ａの外形が略ハート型である立体状態となる。よって、この形状を保持し、孔１２に切花の花軸Ｊを挿通するとともに、切花の花冠Ｋを内包すると、花冠Ｋの形状が略ハート型に矯正されるので、少ないコスト及び時間で斬新な外観の切花を得ることができる。
【００３０】
また、径方向内方に屈曲させた部位１８と孔１２との間の周面に、孔１２と連通した開口部１５を形成したので、切花の萼Ｇの一部を径方向外方に突出させることができる。よって、径方向内方に屈曲させた部位１８が切花の萼Ｇと干渉しないので、萼Ｇを切り取る等の加工を切花に施さなくても容易に花冠Ｋの形状を略ハート型に矯正することができる。また、花冠矯正具１０を一度切花に装着すると、内方屈曲部１８が花びらと萼Ｇとの間に差し込まれているので、花冠矯正具１０が切花から外れ難い。
また、孔１２から複数のスリット１７を放射状に形成したので、切花の花軸Ｊ及び萼Ｇの下部を孔１２に挿通するときに、孔１２が押し広げられて大きくなる。よって、切花に対して花冠矯正具１０を円滑に装着することができる。
【００３１】
さらに、全体を透明のプラスチックで形成したので、外観を損なうことなくカーネーションの花冠Ｋの形状を略ハート型に矯正することができる。それに加え、プラスチックシート１１を立体形状にし、その形状を保持するときに、超音波溶着を利用できるので、その保持方法が簡便である。
【００３２】
（第二実施形態）
次に図２乃至図４を参照して、本発明の第二実施形態に係る花冠矯正具２０を説明する。なお、第一実施形態と同一部分には同一符号を付した。
本実施形態の第一実施形態との違いは、花冠矯正具２０の製造方法であり、形成された最終形状（立体形状）は第一実施形態と同一である。
【００３３】
本実施形態においては、花冠矯正具２０は型成形により製造される。
つまり、図２及び図３に示す、下方から上方に向かって拡開し、上端２０ａが開放された中空の略錐体形状の花冠矯正具２０がこの形のまま量産される。
この花冠矯正具２０にも、第一実施形態で示したものと同じように、下端に切花の花軸Ｊを挿通する挿通孔１２が形成されている。
【００３４】
また、周面に沿って挿通孔１２と上端２０ａの一点とを最短距離で結ぶ線２３を径方向内方に屈曲させた状態の内方屈曲部１８を有するとともに、挿通孔１２と上端２０ａにおいて一点から最遠方に位置する他点とを最短距離で結ぶ線２４を径方向外方に屈曲させた状態の外方屈曲部１９を有する。上端２０ａの外形は略ハート型である。
また、内方屈曲部１８と孔１２との間の周面には、孔１２と連通した開口部１５が形成されており、ここから切花の萼Ｇの一部を径方向外側に突出させる。
【００３５】
以上のような花冠矯正具２０によっても、内包した切花の花冠Ｋの形状を略ハート型に矯正することができ、斬新な外観の切花を得ることができる。
しかも、型成形により製造されるので、第一実施形態では不可欠な、花冠矯正具１０を略ハート型の形状に保持するための工程（超音波溶着）を省くことができ、斬新な外観の切花を得るためのコスト及び時間はわずかしか掛からない。
【００３６】
なお、第一実施形態及び第二実施形態において、開口部１５と孔１２とを連通して形成したとしたが、これに限られるものではなく、連通していなくても切花の萼Ｇの一部を突出できるように開口部１５が形成されていれば、内方屈曲部１８が切花の萼Ｇと干渉し難いので容易に花冠Ｋの形状を略ハート型に矯正することができる。この突出させる萼Ｇの一部とは、萼Ｇの上部であることが望ましい。
さらには花冠Ｋと同時に萼Ｇも内方に押し込むことができる程度に花冠矯正具１０，２０の素材が硬く、内方屈曲部１８の形状保持が強固なものであれば、花冠矯正具１０，２０に開口部１５が形成されていなくても、萼Ｇも花冠Ｋと同時に変形させて、花冠Ｋを略ハート型にすることができる。
【００３７】
また、図５に示すように、開口部１５に、孔１２に向かって凸となる、切花の萼Ｇの付け根を係止する爪Ｔを設けてもよい。こうすることで、爪Ｔが花びらと萼Ｇの付け根の間により深く差し込まれるので、花冠矯正具１０，２０が切花からより外れ難く、花冠Ｋの形状を略ハート型に矯正した状態で保持しておくことが容易である。もちろん、型成形される花冠矯正具２０の開口部１５に同様の爪Ｔがあってもよい。
【００３８】
また、スリット１７は、花冠矯正具１０，２０の素材の厚さや硬さによって、幅を持ったものとすることもできる。また、スリット１７の数はこれに限られるものではなく、孔１２の直径や花冠矯正具１０，２０の素材（例えば軟質なシリコン）等によってはスリット１７が形成されなくてもよい。
また、切花としてカーネーションを用いたが、これに限られるものではなく、バラやテマリソウであっても花冠Ｋを略ハート型とすることができる。これらの花は、生花、プリザーブドフラワーいずれであってもよい。
また、プラスチックシート１１は半透明又は不透明であってもよく、さらには厚紙等の他のシート素材で形成してもよい。
【００３９】
また、第一実施形態において、略ハート型にした立体形状の保持を超音波溶着により行ったが、これに限られるものではなく、ステープラや接着剤等といった通常の形状保持方法を使用することができる。
また、展開状態において、開口部１５は略四角形であるとしたが、これに限られるものではない。
【００４０】
また、略円板型のプラスチックシート１１を立体形状にした後に花に装着したが、立体形状にする前に孔１２に花軸Ｊを挿通し、その後に立体形状にしてもよい。
【符号の説明】
【００４１】
１０      花冠矯正具
１０ａ    上端
１１      略円板型（プラスチックシート）
１２      孔（挿通孔）
１３      中心と外周の一点とを最短距離で結ぶ線
１４      中心と外周の他点とを最短距離で結ぶ線
１５      開口部
１６ａ    縁部
１６ｂ    縁部
１６ｃ    縁部
１６ｄ    縁部
１７      スリット
１８      内方屈曲部
１９      外方屈曲部
２０      花冠矯正具
２０ａ    上端
２３      挿通孔と上端の一点とを最短距離で結ぶ線
２４      挿通孔と上端の他点とを最短距離で結ぶ線
Ｇ      萼
Ｊ      花軸
Ｋ      花冠
Ｔ      爪
【図１】
2011055962.tif 000003
【図２】
2011055962.tif 000004
【図３】
2011055962.tif 000005
【図４】
2011055962.tif 000006
【図５】
2011055962.tif 000007
【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
展開状態で中心に孔が形成された略円板型に対して、
前記中心と外周の一点とを最短距離で結ぶ線を径方向内方に屈曲させるとともに、前記中心と前記外周において前記一点から最遠方に位置する他点とを最短距離で結ぶ線を径方向外方に屈曲させることによって、下方から上方に向かって拡開し、上端の外形を略ハート型にした立体状態として形状を保持し、
前記孔に切花の花軸を挿通するとともに、前記切花の花冠を内包して前記花冠の形状を略ハート型に矯正するもので、前記径方向内方に屈曲させた部位と前記孔との間の周面に、前記切花の萼の一部を径方向外方に突出させる開口部を形成したことを特徴とする花冠矯正具。
【請求項２】
前記開口部を、前記孔と連通して形成したことを特徴とする請求項１に記載の花冠矯正具。
【請求項３】
前記開口部に、前記切花の萼の付け根を係止する爪を設けたことを特徴とする請求項１に記載の花冠矯正具。
【請求項４】
下方から上方に向かって拡開し、上端が開放された中空の略錐体形状であり、
下端に切花の花軸を挿通する挿通孔が形成され、
しかも周面に沿って前記挿通孔と前記上端の一点とを最短距離で結ぶ線を径方向内方に屈曲させた状態の内方屈曲部を有するとともに、前記挿通孔と前記上端において前記一点から最遠方に位置する他点とを最短距離で結ぶ線を径方向外方に屈曲させた状態の外方屈曲部を有し、前記上端の外形を略ハート型にするもので、
前記切花の花冠を内包して前記花冠の形状を略ハート型に矯正し、さらに前記径方向内方に屈曲させた部位と前記挿通孔との間の周面に、前記切花の萼の一部を径方向外方に突出させる開口部を形成したことを特徴とする花冠矯正具。
【手続補正２】
【補正対象書類名】明細書
【補正対象項目名】０００７
【補正方法】変更
【補正の内容】
【０００７】
上記の目的を達成するために、本発明の請求項１に記載の花冠矯正具（１０）は、展開状態で中心に孔（１２）が形成された略円板型（１１）に対して、前記中心と外周の一点とを最短距離で結ぶ線（１３）を径方向内方に屈曲させるとともに、前記中心と前記外周において前記一点から最遠方に位置する他点とを最短距離で結ぶ線（１４）を径方向外方に屈曲させることによって、下方から上方に向かって拡開し、上端（１０ａ）の外形を略ハート型にした立体状態として形状を保持し、前記孔（１２）に切花の花軸（Ｊ）を挿通するとともに、前記切花の花冠（Ｋ）を内包して前記花冠（Ｋ）の形状を略ハート型に矯正するもので、前記径方向内方に屈曲させた部位（１８）と前記孔（１２）との間の周面に、前記切花の萼（Ｇ）の一部を径方向外方に突出させる開口部（１５）を形成したことを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
また、請求項２に記載の花冠矯正具（１０）は、前記開口部（１５）を、前記孔（１２）と連通して形成したことを特徴とする。
【手続補正５】
【補正対象書類名】明細書
【補正対象項目名】００１０
【補正方法】変更
【補正の内容】
【００１０】
また、請求項３に記載の花冠矯正具（１０）は、前記開口部（１５）に、前記切花の萼（Ｇ）の付け根を係止する爪（Ｔ）を設けたことを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
また、請求項４に記載の花冠矯正具（２０）は、下方から上方に向かって拡開し、上端（２０ａ）が開放された中空の略錐体形状であり、下端に切花の花軸（Ｊ）を挿通する挿通孔（１２）が形成され、しかも周面に沿って前記挿通孔（１２）と前記上端（２０ａ）の一点とを最短距離で結ぶ線（２３）を径方向内方に屈曲させた状態の内方屈曲部（１８）を有するとともに、前記挿通孔（１２）と前記上端（２０ａ）において前記一点から最遠方に位置する他点とを最短距離で結ぶ線（２４）を径方向外方に屈曲させた状態の外方屈曲部（１９）を有し、前記上端（２０ａ）の外形を略ハート型にするもので、前記切花の花冠（Ｋ）を内包して前記花冠（Ｋ）の形状を略ハート型に矯正し、さらに前記径方向内方に屈曲させた部位（１８）と前記挿通孔（１２）との間の周面に、前記切花の萼（Ｇ）の一部を径方向外方に突出させる開口部（１５）を形成したことを特徴とする。
【手続補正８】
【補正対象書類名】明細書
【補正対象項目名】００１３
【補正方法】削除
【補正の内容】
【手続補正９】
【補正対象書類名】明細書
【補正対象項目名】００１５
【補正方法】変更
【補正の内容】
【００１５】
本発明の請求項１に記載の花冠矯正具によれば、展開状態で中心に孔が形成された略円板型に対して、中心と外周の一点とを最短距離で結ぶ線を径方向内方に屈曲させるとともに、中心と外周において一点から最遠方に位置する他点とを最短距離で結ぶ線を径方向外方に屈曲させたので、下方から上方に向かって拡開し、上端の外形が略ハート型である立体状態となる。よって、この形状を保持し、孔に切花の花軸を挿通するとともに、切花の花冠を内包すると、花冠の形状が略ハート型に矯正されるので、少ないコスト及び時間で斬新な外観の切花を得ることができる。
それに加え、径方向内方に屈曲させた部位と孔との間の周面に、開口部を形成したので、切花の萼の一部を径方向外方に突出させることができる。よって、径方向内方に屈曲させた部位が切花の萼と干渉し難いので、容易に花冠の形状を略ハート型に矯正することができる。また、花冠矯正具を一度切花に装着すると、花冠矯正具が切花から外れ難い。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
また、請求項２に記載の花冠矯正具によれば、請求項１に記載の発明の作用効果に加え、開口部を孔と連通して形成したので、径方向内方に屈曲させた部位が切花の萼と干渉せず、より容易に花冠の形状を略ハート型に矯正することができる。
【手続補正１２】
【補正対象書類名】明細書
【補正対象項目名】００１８
【補正方法】変更
【補正の内容】
【００１８】
また、請求項３に記載の花冠矯正具によれば、請求項１に記載の発明の作用効果に加え、開口部に、切花の萼の付け根を係止する爪を設けたので、花冠矯正具が切花からより外れ難い。よって、花冠の形状を略ハート型に矯正した状態で保持しておくことが容易である。
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】変更
【補正の内容】
【００２０】
また、請求項４に記載の花冠矯正具によれば、下方から上方に向かって拡開し、上端が開放された中空の略錐体形状であり上端の外形を略ハート型にするもので、さらに径方向内方に屈曲させた部位と挿通孔との間の周面に、切花の萼の一部を径方向外方に突出させる開口部を形成したものであるので、内包した切花の花冠の形状を略ハート型に矯正する花冠矯正具を、例えば型成形によっても製造することができる。したがって、型から出た花冠矯正具をそのまま切花に装着できるので、他の工程を必要とせず、斬新な外観の切花を得るためのコスト及び時間はわずかしか掛からない。
【手続補正１５】
【補正対象書類名】明細書
【補正対象項目名】００２１
【補正方法】削除
【補正の内容】